(57)【特許請求の範囲】
【請求項１】
水と湯と前記水および前記湯を混合した湯水混合水との何れかである原水、並びに浄水の吐止水を制御するバルブユニットであって、
前記水の流入する水流入孔、前記湯の流入する湯流入孔および前記浄水の流入する浄水流入孔が形成されていると共に筐体に固定されている固定弁体と、
前記原水および前記浄水の流出する流出孔と、
前記固定弁体上を摺動し、前記水流入孔から流入する水と前記湯流入孔から流入する湯とを混合させて湯水混合水を生成すると共に前記流出孔へ前記原水および前記浄水のどちらか一方を供給する可動弁体と、を備え、
前記可動弁体が、前記浄水流入孔を通過した前記浄水を通過させる第一連通孔と、前記水流入孔および前記湯流入孔のいずれか一方を通過した前記原水を通過させる第二連通孔とを備え、
前記浄水を前記流出孔から流出させる場合は、前記可動弁体が前記水流入孔および前記湯流入孔を閉塞すると共に前記第一連通孔から前記浄水を通過させ、
前記原水を前記流出孔から流出させる場合は、前記可動弁体が前記浄水流入孔を閉塞すると共に前記第二連通孔から前記原水を通過させることを特徴とするバルブユニット。
【請求項２】
前記第一連通孔が、前記可動弁体の外周側に形成され、
前記第二連通孔が、前記可動弁体の中央に形成され、
前記固定弁体の水流入孔、湯流入孔および浄水流入孔が、前記固定弁体上の同一円周上に形成され、
前記湯流入孔が、前記浄水流入孔および前記水流入孔によって挟まれた位置に形成されていることを特徴とする請求項１に記載されたバルブユニット。
【請求項３】
水、湯、前記水および前記湯を混合した湯水混合水からなる原水、並びに浄水を吐水する水栓装置であって、
請求項１乃至請求項２のいずれか１項に記載されたバルブユニットと、
該バルブユニットの下流側に前記原水および前記浄水を吐水する吐水口と、
該吐水口と前記バルブユニットとを連通させる単一の流路と、を備えていることを特徴とする水栓装置。
【発明の詳細な説明】
【技術分野】
【０００１】
本発明は、水と湯と前記水および前記湯を混合した湯水混合水との何れかである原水、並びに浄水の吐止水を制御するバルブユニットおよび該バルブユニットを備えた水栓装置に関する。
【背景技術】
【０００２】
従来、キッチン等で用いられる水栓装置として、原水（水、湯、水および湯を混合した湯水混合水）の流量および温度を単一のレバーで操作するシングルレバー水栓があった。
【０００３】
近年、上述した原水に加えて、水道水を浄化した浄水も使用されるようになっており、筐体に固定された固定弁体およびこの固定弁体の上を摺動する可動弁体を備え、原水および浄水の吐止水を制御する弁カートリッジ（バルブユニット）を備えたシングルレバー混合水栓がある（例えば、特許文献１）。
【先行技術文献】
【特許文献】
【０００４】
【特許文献１】特開２０１１−１９６０１７号公報
【発明の概要】
【発明が解決しようとする課題】
【０００５】
特許文献１に記載されているシングルレバー混合水栓は、弁カートリッジの上流側が給水管と給湯管とに接続されており、下流側が浄水側配管と原水側流路とに接続されている。
そして、浄水側配管と原水側流路とは、吐水口を有する吐水管内に収納されている。
さらに、吐水管は弁カートリッジから供給される水より浄水を生成する浄水カートリッジも内蔵している。
【０００６】
しかしながら、このような特許文献１に記載されているシングルレバー混合水栓の場合、弁カートリッジが下流側の管路を２本有しているため、吐水管内の構造が複雑になってしまうという問題があり、更なる改良の余地があった。
【０００７】
さらに、弁カートリッジの下流側に管路を２本有しているため、弁カートリッジの下流側における浄水流路の確保と原水流路の確保がトレードオフの関係になってしまっていた。
すなわち、浄水流路を確保すると、原水流路が狭くなってしまい、原水の流量を大きくできず、原水流路を確保すると、浄水流路が狭くなってしまい、浄水の流量を大きくできないという課題もあった。
【０００８】
そこで、本発明は、前述したような従来技術の問題を解決するものであって、すなわち、本発明の目的は、バルブユニットの下流側における浄水流路と原水流路の確保を両立して浄水流路と原水流路とのトレードオフの関係を解消することに加え、下流側の構造が簡便なバルブユニットを提供することにある。
【課題を解決するための手段】
【０００９】
本請求項１に係る発明は、水と湯と前記水および前記湯を混合した湯水混合水との何れかである原水、並びに浄水の吐止水を制御するバルブユニットであって、前記水の流入する水流入孔、前記湯の流入する湯流入孔および前記浄水の流入する浄水流入孔が形成されていると共に筐体に固定されている固定弁体と、前記原水および前記浄水の流出する流出孔と、前記固定弁体上を摺動し、前記水流入孔から流入する水と前記湯流入孔から流入する湯とを混合させて湯水混合水を生成すると共に前記流出孔へ前記原水および前記浄水のどちらか一方を供給する可動弁体と、を備えていることにより、前述した課題を解決するものである。
【００１０】
本請求項１に係る発明のバルブユニットは、流出孔が、原水および浄水を流出させることにより、バルブユニットの下流側における浄水流路と原水流路が同一の流路となるため、バルブユニットの下流側における浄水流路と原水流路の確保を両立して浄水流路と原水流路とのトレードオフの関係を解消することができることに加え、下流側の構造が簡便にすることができる。
【００１１】
本請求項２に係る発明は、請求項１に記載されたバルブユニットに加えて、前記可動弁体が、前記浄水流入孔を通過した前記浄水を通過させる第一連通孔と、前記水流入孔および前記湯流入孔のいずれか一方を通過した前記原水を通過させる第二連通孔とを備え、前記浄水を前記流出孔から流出させる場合は、前記可動弁体が前記水流入孔および前記湯流入孔を閉塞すると共に前記第一連通孔から前記浄水を通過させ、前記原水を前記流出孔から流出させる場合は、前記可動弁体が前記浄水流入孔を閉塞すると共に前記第二連通孔から前記原水を通過させることにより、前述した課題を解決するものである。
【００１２】
本請求項２に係る発明のバルブユニットは、請求項１に係る発明が奏する効果に加えて、原水を流出孔から流出させる場合は、可動弁体が浄水流入孔を閉塞すると共に第一連通孔から原水を通過させ、浄水を流出孔から流出させる場合は、可動弁体が水流入孔および湯流入孔を閉塞すると共に第二連通孔から浄水を通過させることにより、バルブユニット内における浄水流路が、バルブユニット内における原水流路と別個の流路となるため、水流入孔および湯流入孔と浄水流入孔とを近接させる必要がなくなり、各流入孔の直径を大きくすることが可能となり、バルブユニットの下流側へ供給する原水および浄水の流量を増やすことができる。
【００１３】
本請求項３に係る発明は、請求項２に記載されたバルブユニットの構成に加えて、前記第一連通孔が、前記可動弁体の外周側に形成され、前記第二連通孔が、前記可動弁体の中央に形成され、前記流出孔が、前記固定弁体の中央に形成され、前記固定弁体の水流入孔、湯流入孔および浄水流入孔が、前記固定弁体上の同一円周上に形成され、前記湯流入孔が、前記浄水流入孔および前記水流入孔によって挟まれた位置に形成されていることにより、前述した課題を解決するものである。
【００１４】
本請求項３に係る発明のバルブユニットは、請求項２に係る発明が奏する効果に加えて、湯流入孔が、浄水流入孔および水流入孔によって挟まれた位置に形成されていることにより、浄水流入孔と水流入孔とが隣り合う場合には必要であった浄水流入孔と水流入孔と間のシール領域を確保する必要がなくなるため、固定弁体の水流入孔、湯流入孔および浄水流入孔の直径を大きくすることができ、バルブユニットの下流側へ供給する原水および浄水の流量を増やすことができる。
【００１５】
本請求項４に係る発明は、水、湯、前記水および前記湯を混合した湯水混合水からなる原水、並びに浄水を吐水する水栓装置であって、請求項１乃至請求項３のいずれか１項に記載されたバルブユニットと、該バルブユニットの下流側に前記原水および前記浄水を吐水する吐水口と、該吐水口と前記バルブユニットとを連通させる単一の流路と、を備えている。
【００１６】
本請求項４に係る発明の水栓装置は、請求項１乃至請求項３に係る発明が奏する効果に加えて、バルブユニットと吐水口との間の流路が単一の流路であるため、たとえばバルブユニットの下流側を引き出し式の水栓装置とする際、バルブユニットの下流側に複数の流路を有する水栓装置に比べて、水栓装置の構造を簡便にすることができる。
【発明の効果】
【００１７】
本発明により、バルブユニットの下流側における浄水流路と原水流路の確保を両立して浄水流路と原水流路とのトレードオフの関係を解消することに加え、下流側の構造が簡便なバルブユニットを提供することができる。
【図面の簡単な説明】
【００１８】
【図１】本発明の実施形態の水栓装置の斜視外観図。
【図２】本発明の実施形態のバルブユニットの斜視外観図。
【図３】固定弁体の上面図。
【図４】可動弁体の上面図。
【図５】水を吐止水する際のレバーハンドルの位置（ａ）および可動弁体と固定弁体との位置関係を示す図（（ｂ）は止水時、（ｃ）は吐水時）。
【図６】湯水混合水を吐止水する際のレバーハンドルの位置（ａ）および可動弁体と固定弁体との位置関係を示す図（（ｂ）は止水時、（ｃ）は吐水時）。
【図７】湯を吐止水する際のレバーハンドルの位置（ａ）および可動弁体と固定弁体との位置関係を示す図（（ｂ）は止水時、（ｃ）は吐水時）。
【図８】浄水を吐止水する際のレバーハンドルの位置（ａ）および可動弁体と固定弁体との位置関係を示す図（（ｂ）は止水時、（ｃ）は吐水時）。
【発明を実施するための形態】
【００１９】
以下に、本発明の実施形態である水栓装置について、図１乃至図８に基づいて説明する。
【００２０】
＜１．  水栓装置の概要＞
まず、本発明の実施形態の水栓装置Ｆの概要について、水栓装置Ｆの斜視外観図である図１を用いて説明する。
【００２１】
水栓装置Ｆは、図１では図示されないバルブユニット１００（図２参照）と、このバルブユニット１００を覆うカバーＣと、このカバーＣの上部に位置し、バルブユニット１００と連結されているレバーハンドルＬＨと、先端に吐水口Ｓが形成されると共に使用者によって引き出し自在なハンドルシャワーＨＳとを備えている。
そして、このハンドルシャワーＨＳは、バルブユニット１００と下流配管Ｔ（単一の流路）によって連通されている。
【００２２】
さらに、水栓装置Ｆには、浄水器等の浄水生成装置から伸びる浄水供給管ＰＴ、給水源から伸びる水供給管ＣＴ、給湯源から伸びる湯供給管ＨＴがそれぞれ接続されている。
これにより、水栓装置Ｆは、水、湯、水および湯を混合した湯水混合水、並びに浄水を吐水口Ｓから吐水する。
【００２３】
なお、以後、「水、湯、湯水混合水」をまとめて「原水」と称する。
すなわち、「原水」とは、「水、湯、湯水混合水」のいずれかを指す。
【００２４】
＜２．  バルブユニットの構造＞
続いて、バルブユニット１００の構造について、図２乃至図４を用いて説明する。
【００２５】
図２にバルブユニット１００の斜視外観図を示す。
バルブユニット１００は、水と湯とを混合して湯水混合水を生成すると共に、原水および浄水の吐止水を制御するものである。
【００２６】
バルブユニット１００は、浄水供給管ＰＴと水供給管ＣＴと湯供給管ＨＴとが接続される配管接続部材（筐体）１１０と、配管接続部材１１０に載置される筒状のケース１２０とによって、外観が形成されている。
【００２７】
そして、バルブユニット１００の内部は、配管接続部材１１０に載置されている円盤状の固定弁体１３０と、固定弁体１３０上を摺動する角丸四角形形状の可動弁体１４０とを備えている。
さらに、バルブユニット１００の内部は、ケース１２０に鉛直上方の開口から突出すると共にレバーハンドルＬＨと連結されるレバー１５０と、このレバー１５０の動きを規制するレバーガイド１６０と、このレバーガイド１６０を支持すると共に可動弁体１４０に載置される支持部材１７０とをさらに備えている。
【００２８】
そして、レバー１５０は、四角柱状でありレバーハンドルＬＨと連結する柱状部１５１と、柱状部１５１の他端と接続される球状部１５２と、球状部１５２と接続されると共に支持部材１７０を可動させる接続部１５３とから形成されている。
【００２９】
また、支持部材１７０は、外周に可動弁体１４０と係合する係合爪１７１を３つ有しており（なお、この係合爪１７１の個数は３つに限定されるものではない）、中央にはレバー１５０の接続部１５３が挿入されるレバー接続孔１７２が形成されている。
【００３０】
このようにバルブユニット１００が構成されていることにより、レバーハンドルＬＨの動作（回転動作、上下動作）に応じて、レバー１５０が動き、この動きに応じて支持部材１７０と一体となった可動弁体１４０が固定弁体１３０上を摺動する。
詳述すると、レバーハンドルＬＨを回転させると、可動弁体１４０は固定弁体１３０上の摺動面１３１と垂直な回動軸の回りを周回する。
また、レバーハンドルＬＨを上下に動かすと、可動弁体１４０は固定弁体１３０の摺動面１３１上を直線運動する。
【００３１】
＜２．１  固定弁体の構造＞
次に、固定弁体１３０の構造について、固定弁体１３０の上面図である図３を用いて詳述する。
【００３２】
固定弁体１３０の外形はおおよそ円盤状であり、また固定弁体１３０の上面の大部分は可動弁体１４０が摺動する摺動面１３１である。
【００３３】
固定弁体１３０のおおよそ中央には長円形の流出孔１３２が形成されている。
そして、流出孔１３２の直下には配管接続部材１１０の下流配管接続孔１１１があり、下流配管Ｔと連通している。
【００３４】
さらに、固定弁体１３０には、いずれも帯状の水流入孔１３３、湯流入孔１３４および浄水流入孔１３５が形成されている。
これらの孔はいずれも固定弁体１３０上の仮想円Ａ上に形成されており、湯流入孔１３４は、水流入孔１３３および浄水流入孔１３５によって挟まれている。
【００３５】
そして、水流入孔１３３の直下には配管接続部材１１０の水供給管接続孔１１２があり、水供給管ＣＴと連通している。
同様に、湯流入孔１３４の直下には配管接続部材１１０の湯供給管接続孔１１３があり、湯供給管ＨＴと連通している。
同様に、浄水流入孔１３５の直下には配管接続部材１１０の浄水供給管接続孔１１４があり、浄水供給管ＰＴと連通している。
【００３６】
＜２．２  可動弁体の構造＞
次に、可動弁体１４０の構造について、可動弁体１４０の上面図である図４を用いて詳述する。
【００３７】
可動弁体１４０の上面視の外形形状はおおよそ角丸四角形であり、外周の三方に支持部材１７０の係合爪１７１と係合する係合溝１４１を有している。
そして、外周の残りの一方には、外周を切り欠いた第一連通孔１４２が形成されている。
【００３８】
また、可動弁体１４０の上面視中央には、涙滴型形状の第二連通孔１４３が形成されており、第二連通孔１４３の一部（紙面左側）が蓋部１４３ａによって閉塞されている。
【００３９】
＜３．  各吐水形態における弁体の位置＞
続いて、各吐水形態（水、湯、湯水混合水、浄水）を選択した際の、吐水時および止水時の弁体の位置について、図５乃至図８を用いて説明する。
なお、図５乃至図８において、固定弁体１３０の摺動面１３１を明確にするために、摺動面１３１に市松模様を付している。
【００４０】
＜３．１  水選択時＞
まず、水を選択した際の弁体の位置について、図５を用いて説明する。
図５は、水を吐止水する際のレバーハンドルＬＨおよび固定弁体１３０と可動弁体１４０との位置関係を示す図である。
【００４１】
図５（ａ）のように、ハンドルシャワーＨＳをレバーハンドルＬＨとおおよそ重なる位置（あるいはレバーハンドルＬＨの先端とハンドルシャワーＨＳの伸びる方向がおおよそ重なる位置）に回動させることで水が選択される。
なお、この「レバーハンドルＬＨとハンドルシャワーＨＳがおおよそ重なる位置」（あるいは「レバーハンドルＬＨの先端とハンドルシャワーＨＳの伸びる方向がおおよそ重なる位置」）を以下「正対位置Ｐ１」とする。
【００４２】
まず、レバーハンドルＬＨを鉛直下向きに倒した状態（以下「止水状態」という。）について説明する。
図５（ｂ）は、この止水状態における固定弁体１３０と可動弁体１４０の位置関係を示す図である。
【００４３】
止水状態において、可動弁体１４０の第二連通孔１４３は、固定弁体１３０の流出孔１３２とのみ連通されており、固定弁体１３０のいずれの流入孔も可動弁体１４０によって閉塞されている。
すなわち、バルブユニット１００内に原水あるいは浄水が流入することがなく、これにより水栓装置Ｆから吐水されることがない。
【００４４】
次に、レバーハンドルＬＨを鉛直上向きに上げた状態（以下「吐水状態」という。）について説明する。
図５（ｃ）は、この吐水状態における固定弁体１３０と可動弁体１４０の位置関係を示す図である。
【００４５】
吐水状態を選択すると、可動弁体１４０が前方に摺動し、可動弁体１４０の第二連通孔１４３は、固定弁体１３０の流出孔１３２および水流入孔１３３と連通する。
このとき、固定弁体１３０の湯流入孔１３４および浄水流入孔１３５は可動弁体１４０によって閉塞されている。
すなわち、バルブユニット１００内に水のみが流入し、水栓装置Ｆからは水が吐水される。
換言すれば、水供給管ＣＴ、湯供給管ＨＴ及び浄水供給管ＰＴのうち、水供給管ＣＴのみが、吐水口Ｓと連通する。
【００４６】
なお、このとき可動弁体１４０の蓋部１４３ａが固定弁体の湯流入孔１３４を閉塞している。
これにより、正対位置Ｐ１において、水吐水が実現される。
【００４７】
＜３．２  湯水混合水選択時＞
次に、湯水混合水を選択した際の弁体の位置について、図６を用いて説明する。
図６は、湯水混合水を吐止水する際のレバーハンドルＬＨおよび固定弁体１３０と可動弁体１４０との位置関係を示す図である。
【００４８】
図６（ａ）のように、レバーハンドルＬＨを正対位置Ｐ１からに左へ回動させることで湯水混合水が選択される。
この湯水混合水が吐水される位置を以下「湯水混合水吐水位置Ｐ２」とする。
【００４９】
まず、止水状態における固定弁体１３０と可動弁体１４０の位置関係を示す図である図６（ｂ）を用いて説明する。
【００５０】
止水状態において、水選択時と同じように、可動弁体１４０の第二連通孔１４２は、固定弁体１３０の流出孔１３２とのみ連通されており、固定弁体１３０のいずれの流入孔も可動弁体１４０によって閉塞されている。
すなわち、バルブユニット１００内に原水あるいは浄水が流入することがなく、これにより水栓装置Ｆから吐水されることがない。
【００５１】
次に、吐水状態における固定弁体１３０と可動弁体１４０の位置関係を示す図である図６（ｃ）を用いて説明する。
【００５２】
吐水状態を選択すると、可動弁体１４０が前方に摺動し、可動弁体１４０の第二連通孔１４３は、固定弁体１３０の流出孔１３２、水流入孔１３３および湯流入孔１３４と連通する。
このとき、固定弁体１３０の浄水流入孔１３５は可動弁体１４０によって閉塞されている。
すなわち、バルブユニット１００内に水および湯が流入し、湯水混合水が生成され、この湯水混合水が水栓装置Ｆから吐水される。
【００５３】
換言すれば、水供給管ＣＴ、湯供給管ＨＴ及び浄水供給管ＰＴのうち、水供給管ＣＴおよび湯供給管ＨＴが、吐水口Ｓと連通する。
【００５４】
なお、レバーハンドルＬＨの湯水混合水吐水位置Ｐ２に応じて、可動弁体１４０が固定弁体１３０上を摺動する。
これにより、水流入孔１３３および湯流入孔１３４の開口具合が変わり、水と湯との混合比が変わる。
すなわち、湯水混合水の温度が変わる。
【００５５】
このため、湯水混合水吐水位置Ｐ２は、前述した正対位置Ｐ１から後述する湯吐水位置Ｐ３までの間の領域であれば如何なる位置であってもよい。
【００５６】
＜３．３  湯選択時＞
次に、湯を選択する際の弁体の位置について、図７を用いて説明する。
図７は、湯を吐止水する際のレバーハンドルＬＨおよび固定弁体１３０と可動弁体１４０との位置関係を示す図である。
【００５７】
図７（ａ）のように、レバーハンドルＬＨを湯水混合水吐水位置Ｐ２からにさらに左へ回動させることで湯が選択される。
この湯が吐水される位置を以下「湯吐水位置Ｐ３」とする。
【００５８】
まず、止水状態における固定弁体１３０と可動弁体１４０の位置関係を示す図である図７（ｂ）を用いて説明する。
【００５９】
止水状態において、水選択時と同じように、可動弁体１４０の第二連通孔１４３は、固定弁体１３０の流出孔１３２とのみ連通されており、固定弁体１３０のいずれの流入孔も可動弁体１４０によって閉塞されている。
すなわち、バルブユニット１００内に原水あるいは浄水が流入することがなく、これにより水栓装置Ｆから吐水されることがない。
【００６０】
次に、吐水状態における固定弁体１３０と可動弁体１４０の位置関係を示す図である図７（ｃ）を用いて説明する。
【００６１】
吐水状態を選択すると、可動弁体１４０が前方に摺動する。
このとき、可動弁体１４０は図６（ｃ）の状態よりもさらに左方に回転しているため、可動弁体１４０の第二連通孔１４３は、固定弁体１３０の流出孔１３２および湯流入孔１３４と連通する。
また、固定弁体１３０の水流入孔１３３および浄水流入孔１３５は可動弁体１４０によって閉塞されている。
すなわち、バルブユニット１００内に湯のみが流入し、水栓装置Ｆからは湯が吐水される。
換言すれば、水供給管ＣＴ、湯供給管ＨＴ及び浄水供給管ＰＴのうち、湯供給管ＨＴのみが、吐水口Ｓと連通する。
【００６２】
＜３．４  浄水選択時＞
最後に、浄水を選択する際の弁体の位置について、図８を用いて説明する。
図８は、浄水を吐止水する際のレバーハンドルＬＨおよび固定弁体１３０と可動弁体１４０との位置関係を示す図である。
【００６３】
図８（ａ）のように、レバーハンドルＬＨを正対位置Ｐ１からに右へ回動させることで浄水が選択される。
この浄水が吐水される位置を以下「浄水吐水位置Ｐ４」とする。
【００６４】
まず、止水状態における固定弁体１３０と可動弁体１４０の位置関係を示す図である図８（ｂ）を用いて説明する。
【００６５】
止水状態において、水選択時と同じように、可動弁体１４０の第二連通孔１４３は、固定弁体１３０の流出孔１３２とのみ連通されており、固定弁体１３０のいずれの流入孔も可動弁体１４０によって閉塞されている。
すなわち、バルブユニット１００内に原水あるいは浄水が流入することがなく、これにより水栓装置Ｆから吐水されることがない。
【００６６】
次に、吐水状態における固定弁体１３０と可動弁体１４０の位置関係を示す図である図８（ｃ）を用いて説明する。
【００６７】
吐水状態を選択すると、可動弁体１４０が摺動し、可動弁体１４０の第一連通孔１４２は、固定弁体１３０の浄水流入孔１３５と連通され、可動弁体１４０の第二連通孔１４３は固定弁体１３０の流出孔１３２と連通される。
このとき、固定弁体１３０の水流入孔１３３および湯流入孔１３４は可動弁体１４０によって閉塞されている。
すなわち、バルブユニット１００内に浄水のみが流入し、水栓装置Ｆから浄水が吐水される。
換言すれば、水供給管ＣＴ、湯供給管ＨＴ及び浄水供給管ＰＴのうち、浄水供給管ＰＴのみが、吐水口Ｓと連通する。
【００６８】
＜４．  本実施形態の効果＞
このようにして得られた本実施形態のバルブユニット１００は、原水および浄水の吐止水を制御することにより、原水および浄水を単一のバルブユニットで制御することができるばかりでなく、以下の特有の構成に対応した格別の効果を奏することができる。
【００６９】
すなわち、流出孔１３２が、原水および浄水を流出させることにより、バルブユニット１００の下流側における浄水流路と原水流路が同一の流路となるため、バルブユニット１００の下流側における浄水流路と原水流路の確保を両立して浄水流路と原水流路とのトレードオフの関係を解消することができることに加え、下流側の構造が簡便にすることができる。
【００７０】
さらに、原水を流出孔１３２から流出させる場合は、可動弁体１４０が浄水流入孔１３５を閉塞すると共に第一連通孔１４２から原水を通過させ、浄水を流出孔１３２から流出させる場合は、可動弁体１４０が水流入孔１３３および湯流入孔１３４を閉塞すると共に第二連通孔１４３から浄水を通過させることにより、バルブユニット１００内における浄水流路が、バルブユニット１００内における原水流路と別個の流路となるため、水流入孔１３３および湯流入孔１３４と浄水流入孔１３５とを近接させる必要がなくなり、各流入孔の直径を大きくすることが可能となり、バルブユニット１００の下流側へ供給する原水および浄水の流量を増やすことができる。
【００７１】
さらに、湯流入孔１３４が、浄水流入孔１３５および水流入孔１３３によって挟まれた位置に形成されていることにより、浄水流入孔１３５と水流入孔１３３とが隣り合う場合には必要であった浄水流入孔１３５と水流入孔１３３と間のシール領域を確保する必要がなくなるため、固定弁体１３０の水流入孔１３３、湯流入孔１３４および浄水流入孔１３５の直径を大きくすることができ、バルブユニット１００の下流側へ供給する原水および浄水の流量を増やすことができる。
【００７２】
さらに、バルブユニット１００と吐水口Ｓとの間の流路が単一の流路であるため、たとえばバルブユニット１００の下流側を引き出し式の水栓装置Ｆとする際、バルブユニット１００の下流側に複数の流路を有する水栓装置に比べて、水栓装置Ｆの構造を簡便にすることができる。
【００７３】
＜５．  変形例＞
以上、本発明を実施するための形態について説明したが、本発明は上記に限定されるものではない。
本発明は、水と湯と前記水および前記湯を混合した湯水混合水との何れかである原水、並びに浄水の吐止水を制御するバルブユニットであって、前記水の流入する水流入孔、前記湯の流入する湯流入孔および前記浄水の流入する浄水流入孔が形成されていると共に筐体に固定されている固定弁体と、前記原水および前記浄水の流出する流出孔と、前記固定弁体上を摺動し、前記水流入孔から流入する水と前記湯流入孔から流入する湯とを混合させて湯水混合水を生成すると共に前記流出孔へ前記原水および前記浄水のどちらか一方を供給する可動弁体と、を備えているものであり、バルブユニットの下流側における浄水流路と原水流路の確保を両立して浄水流路と原水流路とのトレードオフの関係を解消することに加え、下流側の構造が簡便なバルブユニットを提供することができるものであれば、その具体的な実施態様は、如何なるものであっても構わない。
【００７４】
例えば、可動弁体に設けられた連通孔の位置は、固定弁体に設けられた孔の位置に依存し、本実施形態の位置に限定されるものではない。
【００７５】
また、本実施形態においては、シャワーハンドルを引き出し自在なものとしたが、シャワーハンドルがカバーに固定されるものであってもよい。
【００７６】
また、前述した実施形態が備える各要素は、技術的に可能である限り組み合わせることができ、これらを組み合わせたものも本発明の特徴を含む限り本発明の範囲に包含される。
【符号の説明】
【００７７】
１００  ・・・  バルブユニット
１１０  ・・・  配管接続部材（筐体）
１１１  ・・・  下流配管接続孔
１１２  ・・・  水供給管接続孔
１１３  ・・・  湯供給管接続孔
１１４  ・・・  浄水供給管接続孔
１２０  ・・・  ケース
１３０  ・・・  固定弁体
１３１  ・・・  摺動面
１３２  ・・・  流出孔
１３３  ・・・  水流入孔
１３４  ・・・  湯流入孔
１３５  ・・・  浄水流入孔
１４０  ・・・  可動弁体
１４１  ・・・  係合溝
１４２  ・・・  第一連通孔
１４３  ・・・  第二連通孔
１４３ａ・・・  蓋部
１５０  ・・・  レバー
１５１  ・・・  柱状部
１５２  ・・・  球体部
１５３  ・・・  接続部
１６０  ・・・  レバーガイド
１７０  ・・・  支持部材
１７１  ・・・  係合爪
１７２  ・・・  レバー接続孔
Ｆ    ・・・  水栓装置
Ｃ    ・・・  カバー
ＬＨ  ・・・  レバーハンドル
ＨＳ  ・・・  ハンドルシャワー
Ｓ    ・・・  吐水口
ＰＴ  ・・・  浄水供給管
ＣＴ  ・・・  水供給管
ＨＴ  ・・・  湯供給管
Ｔ    ・・・  下流配管（単一の流路）
ＣＷ  ・・・  冷水
ＨＷ  ・・・  湯
ＭＷ  ・・・  湯水混合水（水）
Ａ    ・・・  仮想円
Ｐ１  ・・・  正対位置
Ｐ２  ・・・  湯水混合水吐水位置
Ｐ３  ・・・  湯吐水位置
Ｐ４  ・・・  浄水吐水位置
【図１】
0006474025.tif 000002
【図２】
0006474025.tif 000003
【図３】
0006474025.tif 000004
【図４】
0006474025.tif 000005
【図５】
0006474025.tif 000006
【図６】
0006474025.tif 000007
【図７】
0006474025.tif 000008
【図８】
0006474025.tif 000009